(57)【要約】【課題】予約番組一覧表の所定の番組の裏番組表を表示することができるようにする。【解決手段】表示部１８の画面には、いま視聴している映像に重ね合わせて予約番組一覧表が所定の表示領域に表示される。この予約番組一覧表の中の所定の番組にカーソル１８１を移動させ、その番組を選択すると、その番組が放送される時間帯に他のチャンネルで放送される他の番組の一覧表が裏番組表として生成され、表示部１８の画面に表示される。【選択図】図１
2006333039.tif 000002
【特許請求の範囲】
【請求項１】
予約された番組の予約番組一覧表を所定の映像上に重ね合わせた合成映像を生成し出力する表示制御装置であって、
予約された前記番組の予約番組一覧表を生成する予約番組一覧表生成手段と、
予約された前記番組の所定のものが放送される時間帯に放送される他の番組を電子番組表から検索する検索手段と、
前記検索手段による検索結果に基づいて、予約された前記番組が放送される時間帯に放送される他の番組の一覧表である裏番組表を生成する裏番組表生成手段と、
前記予約番組一覧表および前記裏番組表の少なくともいずれかと前記映像とを合成した合成映像を生成する合成映像生成手段と、
前記合成映像生成手段によって生成された前記合成映像を出力する出力手段と
を備えることを特徴とする表示制御装置。
【請求項２】
予約されている前記番組があるか否かを判定する判定手段をさらに備え、
前記判定手段による判定結果に応じて、前記予約番組一覧表生成手段は、予約された前記番組の予約番組一覧表を生成することを特徴とする請求項１に記載の表示制御装置。
【請求項３】
前記予約番組一覧表から所定の番組を選択する選択手段をさらに備え、
前記検索手段は、前記選択手段によって選択された前記番組が放送される時間帯に放送される他の番組を前記電子番組表から検索し、
前記裏番組表生成手段は、前記検索手段による検索結果に基づいて、予約された前記番組が放送される時間帯に放送される他の番組の一覧表である裏番組表を生成し、
前記合成映像生成手段は、前記裏番組表と前記映像とを合成した合成映像を生成する
ことを特徴とする請求項１または２に記載の表示制御装置。
【請求項４】
電源投入時に、前記予約番組一覧表生成手段は、前記予約番組一覧表を生成し、前記合成映像生成手段は、前記予約番組一覧表と前記映像とを合成した合成映像を生成し、前記出力手段は、前記合成映像生成手段によって生成された前記合成映像を出力する
ことを特徴とする請求項１乃至３のいずれかに記載の表示制御装置。
【請求項５】
予約された番組の予約番組一覧表を所定の映像上に重ね合わせた合成映像を生成し出力する表示制御方法であって、
予約された前記番組の予約番組一覧表を生成する予約番組一覧表生成ステップと、
予約された前記番組の所定のものが放送される時間帯に放送される他の番組を電子番組表から検索する検索ステップと、
前記検索ステップにおける検索結果に基づいて、予約された前記番組が放送される時間帯に放送される他の番組の一覧表である裏番組表を生成する裏番組表生成ステップと、
前記予約番組一覧表および前記裏番組表の少なくともいずれかと前記映像とを合成した合成映像を生成する合成映像生成ステップと、
前記合成映像生成ステップにおいて生成された前記合成映像を出力する出力ステップと
を備えることを特徴とする表示制御方法。
【請求項６】
予約されている前記番組があるか否かを判定する判定ステップをさらに備え、
前記判定ステップにおける判定結果に応じて、前記予約番組一覧表生成ステップにおいては、予約された前記番組の予約番組一覧表が生成される
ことを特徴とする請求項５に記載の表示制御方法。
【請求項７】
前記予約番組一覧表から所定の番組を選択する選択ステップをさらに備え、
前記検索ステップにおいては、前記選択ステップにおいて選択された前記番組が放送される時間帯に放送される他の番組が前記電子番組表から検索され、
前記裏番組表生成ステップにおいては、前記検索ステップにおける検索結果に基づいて、前記選択ステップにおいて選択された前記番組が放送される時間帯に放送される他の番組の一覧表である裏番組表が生成され、
前記合成映像生成ステップにおいては、前記裏番組表と前記映像とを合成した合成映像が生成されることを特徴とする請求項５または６に記載の表示制御方法。
【請求項８】
電源投入時に、前記予約番組一覧表生成ステップにおいては、前記予約番組一覧表が生成され、前記合成映像生成ステップにおいては、前記予約番組一覧表と前記映像とを合成した合成映像が生成され、前記出力ステップにおいては、前記合成映像生成ステップにおいて生成された前記合成映像が出力される
ことを特徴とする請求項５乃至７のいずれかに記載の表示制御方法。
【請求項９】
予約された番組の予約番組一覧表を所定の映像上に重ね合わせた合成映像を生成し出力する表示制御装置を制御する表示制御プログラムであって、
予約された前記番組の予約番組一覧表を生成する予約番組一覧表生成ステップと、
予約された前記番組の所定のものが放送される時間帯に放送される他の番組を電子番組表から検索する検索ステップと、
前記検索ステップにおける検索結果に基づいて、予約された前記番組が放送される時間帯に放送される他の番組の一覧表である裏番組表を生成する裏番組表生成ステップと、
前記予約番組一覧表および前記裏番組表の少なくともいずれかと前記映像とを合成した合成映像を生成する合成映像生成ステップと、
前記合成映像生成ステップにおいて生成された前記合成映像を出力する出力ステップと
を前記表示制御装置に実行させることを特徴とする表示制御プログラム。
【請求項１０】
予約されている前記番組があるか否かを判定する判定ステップをさらに備え、
前記判定ステップにおける判定結果に応じて、前記予約番組一覧表生成ステップにおいては、予約された前記番組の予約番組一覧表が生成されることを特徴とする請求項９に記載の表示制御プログラム。
【請求項１１】
前記予約番組一覧表から所定の番組を選択する選択ステップをさらに備え、
前記検索ステップにおいては、前記選択ステップにおいて選択された前記番組が放送される時間帯に放送される他の番組が前記電子番組表から検索され、
前記裏番組表生成ステップにおいては、前記検索ステップにおける検索結果に基づいて、前記選択ステップにおいて選択された前記番組が放送される時間帯に放送される他の番組の一覧表である裏番組表が生成され、
前記合成映像生成ステップにおいては、前記裏番組表と前記映像とを合成した合成映像が生成されることを特徴とする請求項９または１０に記載の表示制御プログラム。
【請求項１２】
電源投入時に、前記予約番組一覧表生成ステップにおいては、前記予約番組一覧表が生成され、前記合成映像生成ステップにおいては、前記予約番組一覧表と前記映像とを合成した合成映像が生成され、前記出力ステップにおいては、前記合成映像生成ステップにおいて生成された前記合成映像が出力されることを特徴とする請求項９乃至１１のいずれかに記載の表示制御プログラム。
【発明の詳細な説明】
【技術分野】
【０００１】
本発明は表示制御装置に関し、特に、予約されている番組と同時刻に放送される他の番組の一覧の表示を制御する表示制御装置に関するものである。
【背景技術】
【０００２】
従来、電子番組表（Electronic Program Guide(EPG)）を使用して視聴予約や録画予約をする方法については多数の発明がなされている。その中には、ユーザが設定したキーワードや嗜好、あるいは視聴傾向や視聴記録に応じて、自動でまたは簡単な操作で所定の番組の視聴予約または録画予約をすることができるというものがある。
また、電話回線等のネットワークを介してリモート操作により自宅の番組予約表示装置の番組録画予約表の変更を行うことができるようにし、さらに、番組予約表示装置の電源投入時に、番組予約表示装置が備える媒体から録画済みの番組表を読み出し、その番組表を画面に表示させるようにすることにより、遠隔地からの録画予約を可能とするとともに、電源投入時にユーザに対して録画済みの番組表を明示して、録画した番組があることを忘れずに確認することができるようにしたものがある。さらにまた、録画予約をするときに、ユーザ種別を入力するようにして、誰がどの番組を予約したかを表示できるようにし、他人が予約録画した番組を誤って消去したり上書きしたりしてしまうということを防ぐようにしたものがある（例えば、特許文献１参照）。
【特許文献１】特開２０００−３５０１４２号公報
【発明の開示】
【発明が解決しようとする課題】
【０００３】
しかしながら、複数の人が同一のテレビジョン受像機を視聴する場合、他の人が視聴予約している番組が放送される時間帯に他のチャンネルで放送される他の番組を容易に知るということはできなかった。
本発明はこのような状況に鑑みてなされたものであり、予約されている番組の放送時間帯に他のチャンネルで放送される他の番組の一覧表を簡単な操作で迅速に表示することができるようにするものである。
【課題を解決するための手段】
【０００４】
請求項１に記載の表示制御装置は、予約された番組の予約番組一覧表を所定の映像上に重ね合わせた合成映像を生成し出力する表示制御装置であって、予約された前記番組の予約番組一覧表を生成する予約番組一覧表生成手段と、予約された前記番組の所定のものが放送される時間帯に放送される他の番組を電子番組表から検索する検索手段と、前記検索手段による検索結果に基づいて、予約された前記番組が放送される時間帯に放送される他の番組の一覧表である裏番組表を生成する裏番組表生成手段と、前記予約番組一覧表および前記裏番組表の少なくともいずれかと前記映像とを合成した合成映像を生成する合成映像生成手段と、前記合成映像生成手段によって生成された前記合成映像を出力する出力手段とを備えることを特徴とする。
また、請求項２に記載の表示制御装置において、予約されている前記番組があるか否かを判定する判定手段をさらに備え、前記判定手段による判定結果に応じて、前記予約番組一覧表生成手段は、予約された前記番組の予約番組一覧表を生成するようにすることができる。
また、請求項３に記載の表示制御装置において、前記予約番組一覧表から所定の番組を選択する選択手段をさらに備え、前記検索手段は、前記選択手段によって選択された前記番組が放送される時間帯に放送される他の番組を前記電子番組表から検索し、前記裏番組表生成手段は、前記検索手段による検索結果に基づいて、予約された前記番組が放送される時間帯に放送される他の番組の一覧表である裏番組表を生成し、前記合成映像生成手段は、前記裏番組表と前記映像とを合成した合成映像を生成するようにすることができる。
また、請求項４に記載の表示制御装置において、電源投入時に、前記予約番組一覧表生成手段は、前記予約番組一覧表を生成し、前記合成映像生成手段は、前記予約番組一覧表と前記映像とを合成した合成映像を生成し、前記出力手段は、前記合成映像生成手段によって生成された前記合成映像を出力するようにすることができる。
請求項５に記載の表示制御方法は、予約された番組の予約番組一覧表を所定の映像上に重ね合わせた合成映像を生成し出力する表示制御方法であって、予約された前記番組の予約番組一覧表を生成する予約番組一覧表生成ステップと、予約された前記番組の所定のものが放送される時間帯に放送される他の番組を電子番組表から検索する検索ステップと、前記検索ステップにおける検索結果に基づいて、予約された前記番組が放送される時間帯に放送される他の番組の一覧表である裏番組表を生成する裏番組表生成ステップと、前記予約番組一覧表および前記裏番組表の少なくともいずれかと前記映像とを合成した合成映像を生成する合成映像生成ステップと、前記合成映像生成ステップにおいて生成された前記合成映像を出力する出力ステップとを備えることを特徴とする。
また、請求項６に記載の表示制御方法において、予約されている前記番組があるか否かを判定する判定ステップをさらに備え、前記判定ステップにおける判定結果に応じて、前記予約番組一覧表生成ステップにおいては、予約された前記番組の予約番組一覧表が生成されるようにすることができる。
また、請求項７に記載の表示制御方法において、前記予約番組一覧表から所定の番組を選択する選択ステップをさらに備え、前記検索ステップにおいては、前記選択ステップにおいて選択された前記番組が放送される時間帯に放送される他の番組が前記電子番組表から検索され、前記裏番組表生成ステップにおいては、前記検索ステップにおける検索結果に基づいて、前記選択ステップにおいて選択された前記番組が放送される時間帯に放送される他の番組の一覧表である裏番組表が生成され、前記合成映像生成ステップにおいては、前記裏番組表と前記映像とを合成した合成映像が生成されるようにすることができる。
また、請求項８に記載の表示制御方法において、電源投入時に、前記予約番組一覧表生成ステップにおいては、前記予約番組一覧表が生成され、前記合成映像生成ステップにおいては、前記予約番組一覧表と前記映像とを合成した合成映像が生成され、前記出力ステップにおいては、前記合成映像生成ステップにおいて生成された前記合成映像が出力されるようにすることができる。
請求項９に記載の表示制御プログラムは、予約された番組の予約番組一覧表を所定の映像上に重ね合わせた合成映像を生成し出力する表示制御装置を制御する表示制御プログラムであって、予約された前記番組の予約番組一覧表を生成する予約番組一覧表生成ステップと、予約された前記番組の所定のものが放送される時間帯に放送される他の番組を電子番組表から検索する検索ステップと、前記検索ステップにおける検索結果に基づいて、予約された前記番組が放送される時間帯に放送される他の番組の一覧表である裏番組表を生成する裏番組表生成ステップと、前記予約番組一覧表および前記裏番組表の少なくともいずれかと前記映像とを合成した合成映像を生成する合成映像生成ステップと、前記合成映像生成ステップにおいて生成された前記合成映像を出力する出力ステップとを前記表示制御装置に実行させることを特徴とする。
請求項１０に記載の表示制御プログラムにおいて、予約されている前記番組があるか否かを判定する判定ステップをさらに備え、前記判定ステップにおける判定結果に応じて、前記予約番組一覧表生成ステップにおいては、予約された前記番組の予約番組一覧表が生成されるようにすることができる。
また、請求項１１に記載の表示制御プログラムにおいて、前記予約番組一覧表から所定の番組を選択する選択ステップをさらに備え、前記検索ステップにおいては、前記選択ステップにおいて選択された前記番組が放送される時間帯に放送される他の番組が前記電子番組表から検索され、前記裏番組表生成ステップにおいては、前記検索ステップにおける検索結果に基づいて、前記選択ステップにおいて選択された前記番組が放送される時間帯に放送される他の番組の一覧表である裏番組表が生成され、前記合成映像生成ステップにおいては、前記裏番組表と前記映像とを合成した合成映像が生成されるようにすることができる。
また、請求項１２に記載の表示制御プログラムにおいて、電源投入時に、前記予約番組一覧表生成ステップにおいては、前記予約番組一覧表が生成され、前記合成映像生成ステップにおいては、前記予約番組一覧表と前記映像とを合成した合成映像が生成され、前記出力ステップにおいては、前記合成映像生成ステップにおいて生成された前記合成映像が出力されるようにすることができる。
【発明の効果】
【０００５】
本発明の表示制御装置によれば、予約されている番組の放送時間帯に他のチャンネルで放送される他の番組の一覧表を表示するようにしたので、現在予約されている番組が自分の意図するものではない場合、その番組が放送される時間帯に視聴または録画したい他の番組が他のチャンネルで放送されているか否かを容易に知ることができる。
【発明を実施するための最良の形態】
【０００６】
図１は、本発明が適用されるテレビジョン受像機１００の一実施の形態の構成例を示すブロック図である。同図に示すように、テレビジョン受像機１００は、チューナ１２と、デコーダ１３と、信号処理部１４と、制御部１５と、ＯＳＤ（on-screen display）処理部１６と、記憶部１７と、表示部１８と、スピーカ１９と、インタフェース２０と、電源ボタン２１と、選局ボタン２２と、上ボタン２３と、下ボタン２４と、決定ボタン２５と、裏番組表ボタン２６と、音量調節ボタン２７と、受光部２８と、インタフェース（Ｉ／Ｆ）２９等から構成されている。
【０００７】
チューナ１２は、アンテナ１０によって受信された受信信号から所定のチャンネルの映像音声信号を抽出し、デコーダ１３に供給するようになっている。デコーダ１３は、チューナ１２より供給された映像音声信号をデコードし、信号処理部１４に供給するようになっている。
【０００８】
信号処理部１４は、チューナ１２より供給された映像音声信号のうち、映像信号を表示部１８に供給し、音声信号をスピーカ１９に供給するようになっている。表示部１８は、信号処理部１４より供給された映像信号に対応する所定の映像を表示するようになっている。スピーカ１９は、信号処理部１４より供給された音声信号に対応する所定の音声を出力するようになっている。
【０００９】
また、信号処理部１４は、映像信号に重畳された電子番組表（EPG：Electronic Program Guide）を示す電子番組表データを抽出し、制御部１５に供給するようになっている。さらに、制御部１５を介して、ＯＳＤ処理部１６によって生成された、映像に重ね合わせる文字や図形等からなるグラフィックデータ（ビットマップイメージデータ等からなる表示データ）を受け取り、そのグラフィックデータを映像に重ね合わせた合成映像に対応する合成映像信号を生成し、表示部１８に供給するようになっている。これにより、表示部１８の画面には、信号処理部１４より供給された合成映像信号に対応する映像が表示されることになる。
【００１０】
受光部２８は、後述するリモートコントローラ２００の発光部５３より出射された赤外線を受光し、対応する電気信号に変換した後、インタフェース（Ｉ／Ｆ）２９に供給するようになっている。Ｉ／Ｆ２９は、受光部２８より供給された電気信号に対応する制御データを制御部１５に供給するようになっている。
【００１１】
制御部１５は、Ｉ／Ｆ２９より供給された制御データに基づいて各部を制御し、リモートコントローラ２００の操作に対応する各種処理を実行するようになっている。また、制御部１５は、テレビジョン受像機１００が備える電源ボタン２１や各種ボタン（選局ボタン２２、上ボタン２３、下ボタン２４、決定ボタン２５、裏番組表ボタン２６、音量調節ボタン２７等）の操作に対応して、インタフェース２０より供給される制御データに基づいて、各種処理を実行するようになっている。
【００１２】
また、制御部１５は、信号処理部１４より供給された電子番組表データを記憶部１７に供給し、記憶させるようになっている。また、例えば、後述する予約番組一覧表の表示、裏番組表の表示、行カーソルの表示、その他ユーザインタフェースの制御等の各種処理は、制御部１５がＯＳＤ処理部１６やその他の各部を制御することによって実行されるようになっている。
【００１３】
ＯＳＤ処理部１６は、制御部１５の制御下、チューナ１２によって現在選局されている番組の映像に重ね合わせて表示される例えば後述する予約番組一覧表、裏番組表、行カーソル等に対応するグラフィックデータを生成し、制御部１５に供給するようになっている。
【００１４】
記憶部１７は、ユーザがリモートコントローラ２００またはテレビジョン受像機１００の各ボタンを操作して視聴予約または録画予約した予約番組を示す、例えば放送局、放送開始時刻、放送終了時刻、番組名等からなる視聴予約管理データまたは録画予約管理データや、制御部１５より供給された電子番組表データ等の各種データを記憶するようになっている。
【００１５】
電源ボタン２１は、テレビジョン受像機１００の電源をオンまたはオフするときに操作される。選局ボタン２２は、チャンネルの変更を指示するときに操作される。上ボタン２３は、表示部１８の画面に表示された例えば予約番組一覧表の行カーソルを上方向に移動させるときに操作される。下ボタン２４は、表示部１８の画面に表示された例えば予約番組一覧表の行カーソルを下方向に移動させるときに操作される。
【００１６】
決定ボタン２５は、上ボタン２３および下ボタン２４を用いてカーソルを移動させることによって選択した項目について、その項目の選択を確定するときに操作される。裏番組表ボタン２６は、予約番組一覧表の中の選択された番組が放送される時間帯に他のチャンネルで放送される各番組の番組表（放送局、放送開始時刻、放送終了時刻、番組名等からなる裏番組表）の表示を指示するときに操作される。
【００１７】
音量調節ボタン２７は、スピーカ１９より出力される音声の大きさを調整するときに操作される。インタフェース２０は、電源ボタン２１、選局ボタン２２、上ボタン２３、下ボタン２４、決定ボタン２５、裏番組表ボタン２６、および音量調節ボタン２７が操作されたときに出力される電気信号に対応する制御データを制御部１５に供給するようになっている。
【００１８】
図２は、リモートコントローラ２００の一実施の形態の外観図を示している。同図に示すように、リモートコントローラ２００は、電源ボタン４１と、「１」ボタン乃至「１２」ボタンからなる選局ボタン４２と、上ボタン４３と、下ボタン４４と、決定ボタン４５と、裏番組表ボタン４６と、音量調節ボタン４７等を備えている。
【００１９】
図３は、リモートコントローラ２００の電気的な構成例を示すブロック図である。同図に示すように、リモートコントローラ２００は、制御部５１と、制御部５１に接続された発光制御部５２と、発光制御部５２に接続された発光部５３と、制御部５１に接続されたインタフェース４０と、インタフェース４０に接続された電源ボタン４１、選局ボタン４２、上ボタン４３、下ボタン４４、決定ボタン４５、裏番組表ボタン４６、および音量調節ボタン４７等から構成されている。
【００２０】
電源ボタン４１は、テレビジョン受像機１００の電源をオンまたはオフするときに操作される。選局ボタン４２は、チャンネルの変更を指示するときに操作される。上ボタン４３は、表示部１８の画面に表示された例えば予約番組一覧表の行カーソルを上方向に移動させるときに操作される。下ボタン４４は、表示部１８の画面に表示された例えば予約番組一覧表の行カーソルを下方向に移動させるときに操作される。
【００２１】
決定ボタン４５は、上ボタン４３および下ボタン４４を用いてカーソルを移動させることによって選択した項目について、その項目の選択を確定するときに操作される。裏番組表ボタン４６は、予約番組一覧表の中の選択された番組が放送される時間帯に他のチャンネルで放送される各番組の番組表（放送局、放送開始時刻、放送終了時刻、番組名等からなる裏番組表）の表示を指示するときに操作される。
【００２２】
音量調節ボタン４７は、スピーカ１９より出力される音声の大きさを調整するときに操作される。インタフェース４０は、電源ボタン４１、選局ボタン４１、上ボタン４３、下ボタン４４、決定ボタン４５、裏番組表ボタン４６、および音量調節ボタン４７が操作されたときに出力される電気信号に対応する制御データを制御部５１に供給するようになっている。
【００２３】
制御部５１は、ユーザの操作に対応してインタフェース４０を介して供給される制御データに基づいて、発光制御部５２に対して制御データを赤外線により送信するよう指令するようになっている。発光制御部５２は、制御部５１からの指令に基づいて、制御データに対応する制御信号を発光部５３に供給し、発光部５３の発光を制御するようになっている。発光部５３は発光制御部５２から供給された制御信号に従って赤外線を発光し、制御データを送信するようになっている。
【００２４】
図４は、予約番組一覧表の表示例を示している。表示部１８の画面には、現在視聴している番組の映像が表示され、その映像に予約番組一覧表が非透過または半透過で重ね合わせて表示される。
【００２５】
この例の場合、表示部１８の画面の右上隅の所定の矩形の表示領域に予約番組一覧表が表示されている。この予約番組一覧表は、メッセージ「裏番組を見たい予約を選択し、「裏番組表」ボタンを押してください。」と、現在視聴予約されている各番組の予約状況（予約日時、チャンネル番号、番組名等からなる予約内容）とにより構成されている。
【００２６】
いま、３つの予約番組が表示されている。即ち、１月２０日、１０時００分から１０時３０分に、ＢＳ１０１で放送される番組「Ａ」と、１月２１日、１０時３０分から１１時００分に、ＢＳ１０３で放送される番組「Ｂ」と、１月２１日、１１時３０分から１１時４５分に、ＣＳ００１で放送される番組「Ｃ」とが視聴予約されている。
【００２７】
また、この例では、番組「Ａ」の予約状況の表示領域に行カーソル１８１が表示されており、その表示領域の背景色が他の番組「Ｂ」、番組「Ｃ」の予約状況の表示領域の背景色とは異なる色とされている。
【００２８】
カーソル１８１は、テレビジョン受像機１００の上ボタン２３および下ボタン２４、またはリモートコントローラ２００の上ボタン４３または下ボタン４４を操作することにより上下方向に移動させ、所望の予約番組を選択することができるようになっている。また、テレビジョン受像機１００の裏番組表ボタン２６またはリモートコントローラ２００の裏番組表ボタン４６を操作することにより、カーソル１８１によって選択された予約番組に対応する裏番組表の表示を指示することができるようになっている。
【００２９】
図５は、裏番組表の表示例を示している。裏番組表には、予約番組一覧表において選択された番組が放送される時間帯と同一の時間帯に放送される他のチャンネルの各番組の一覧が表示される。また、各番組の所定のものを選択するためのカーソル１８１が表示されるので、カーソル１８１を移動させて所望の番組を選択し、その番組の詳細な情報を表示させることができるようになっている。
【００３０】
図５に示した例では、ＢＳデジタルの各放送局の番組が表示されている。このように、ＢＳデジタル放送で放送される番組のみをまとめて表示することもできる。同様に、地上波デジタル放送で放送される番組のみをまとめて表示することもできる。また、ＣＳデジタル放送で放送される番組のみをまとめて表示することもできる。あるいは、地上波デジタル放送、ＢＳデジタル放送、ＣＳデジタル放送を区別することなく表示することもできる。
【００３１】
次に、図６のフローチャートを参照して、本実施の形態の処理手順について説明する。テレビジョン受像機１００の電源ボタン２１が操作され、電源がオンされると、ステップＳ１において、制御部１５により、記憶部１７に記憶されている視聴予約管理データおよび録画予約管理データに基づいて、予約されている番組があるか否かが判定される。
【００３２】
その結果、予約されている番組がないと判定された場合、本処理を終了する。一方、予約されている番組があると判定された場合、ステップＳ２に進む。
【００３３】
ステップＳ２においては、制御部１５はＯＳＤ処理部１６に対して、視聴予約管理データおよび録画予約管理データに基づいて、予約されている各番組の放送日、放送開始時刻および放送終了時刻、チャンネル番号、番組名等からなる予約内容を所定の順番に並べた予約番組一覧表を表示するための予約番組一覧表表示データ（例えば、予約番組一覧表に対応するビットマップイメージデータ）を生成するよう指令する。
【００３４】
この指令を受けたＯＳＤ処理部１６は、予約番組一覧表表示データを生成し、制御部１５に供給する。制御部１５は、ＯＳＤ処理部１６より供給された予約番組一覧表表示データを信号処理部１４に供給する。
【００３５】
信号処理部１４は、ＯＳＤ処理部１６より制御部１５を介して供給された予約番組一覧表表示データに対応する予約番組一覧表を、デコーダ１３より供給されたいま選局されている放送局の映像に重ね合わせた合成映像を生成し、対応する合成映像信号を表示部１８に供給する。
【００３６】
表示部１８は、信号処理部１４より供給された合成映像信号に対応す合成映像を表示する。この例では、図４に示したような映像と予約番組一覧表とが合成された合成映像が表示部１８の画面に表示される。
【００３７】
次に、ステップＳ３において、制御部１５はＯＳＤ処理部１６に対して、予約番組一覧表に表示された各番組を選択するためのカーソル１８１に対応する表示データ（例えば、カーソル１８１に対応するビットマップイメージデータ）を生成するよう指令する。この指令を受けたＯＳＤ処理部１６は、カーソル１８１に対応する表示データを生成し、制御部１５に供給する。制御部１５は、ＯＳＤ処理部１６より供給された表示データを信号処理部１４に供給する。
【００３８】
信号処理部１４は、ＯＳＤ処理部１６より制御部１５を介して供給されたカーソル１８１に対応する表示データに基づき、予約番組一覧表にカーソル１８１を重ね合わせた映像を生成し、その映像をデコーダ１３より供給された映像に重ね合わせた合成映像を生成し、対応する合成映像信号を表示部１８に供給する。これにより、図４に示したように、予約番組一覧表の最上行に表示されている予約番組にカーソル１８１が半透明または非透明で重ね合わせて表示される。
【００３９】
次に、ステップＳ４において、制御部１５により、テレビジョン受像機１００の上ボタン２３および下ボタン２４の少なくともいずれか、またはリモートコントローラ２００の上ボタン４３および下ボタン４４の少なくともいずれかがユーザによって操作され、予約番組一覧表に表示されたカーソル１８１の移動が指示されたか否かが判定される。
【００４０】
その結果、カーソル１８１の移動が指示されていないと判定された場合、ステップＳ６に進む。一方、カーソル１８１の移動が指示されたと判定された場合、ステップＳ５に進む。
【００４１】
ステップＳ５においては、制御部１５の制御により、ユーザによるテレビジョン受像機１００の上ボタン２３および下ボタン２４の少なくともいずれか、またはリモートコントローラ２００の上ボタン４３および下ボタン４４の少なくともいずれかの操作に対応する方向にカーソル１８１が移動する。
【００４２】
例えば、上ボタン２３または上ボタン４３が操作されると、カーソル１８１は上方向に移動する。ただし、カーソル１８１が予約番組一覧表の最上行に表示されている場合には、カーソル１８１は移動しない。また、図４の予約番組一覧表の表示例において、予約番組数が４以上であり、番組Ａの上に他の番組に対応する予約状況が仮想的に存在している場合、番組Ａおよび番組Ｂの予約状況の表示位置がそれぞれ１行ずつ下方向に移動し、番組Ｃの予約状況が予約番組一覧表から消去され、最上行に他の番組の予約状況が表示されるようになる。
【００４３】
また、例えば、下ボタン２４または下ボタン４４が操作されると、カーソル１８１は下方向に移動する。ただし、カーソル１８１が予約番組一覧表の最下行に表示されている場合には、カーソル１８１は移動しない。また、図４の予約番組一覧表の表示例において、予約番組数が４以上であり、番組Ｃの下に他の番組に対応する予約状況が仮想的に存在している場合、番組Ｂおよび番組Ｃの予約状況の表示位置がそれぞれ１行ずつ上方向に移動し、番組Ａの予約状況が予約番組一覧表から消去され、最下行に他の番組の予約状況が表示されるようになる。
【００４４】
次に、ステップＳ６において、制御部１５により、ユーザによって裏番組表の表示が指示されたか否かが判定される。即ち、ユーザがテレビジョン受像機１００の裏番組表ボタン２６またはリモートコントローラ２００の裏番組表ボタン４６のいずれかが操作され、裏番組表の表示が指示されたか否かが判定される。
【００４５】
裏番組表とは、上述したように、裏番組表の表示が指示されたときのカーソル１８１の表示位置に表示されている予約番組が放送される時間帯に他のチャンネルで放送される番組の一覧表である。あるいは、裏番組表の表示が指示されたときのカーソル１８１の表示位置に表示されている予約番組が放送される時間帯と少なくとも一部が重なる時間帯に放送される他のチャンネルの番組の一覧表であるとしてもよい。
【００４６】
ステップＳ６における判定の結果、裏番組表の表示が指示されていないと判定された場合、本処理を終了する。一方、裏番組表の表示が指示されたと判定された場合、ステップＳ７に進む。
【００４７】
ステップＳ７においては、制御部１５により、記憶部１７に記憶されている電子番組表データが読み出され、カーソル１８１の表示位置に表示されている予約番組が放送される時間帯に他のチャンネルで放送される番組が検索される。あるいは、カーソル１８１の表示位置に表示されている予約番組が放送される時間帯と少なくとも一部が重なる時間帯に放送される他のチャンネルの番組が検索される。
【００４８】
次に、ＯＳＤ処理部１６に対して、検索結果として得られた各番組の予約状況を所定の順番に並べた裏番組表を表示するための裏番組表表示データ（例えば、裏番組表に対応するビットマップイメージデータ）を生成するよう指令する。この指令を受けたＯＳＤ処理部１６は、裏番組表表示データを生成し、制御部１５に供給する。制御部１５は、ＯＳＤ処理部１６より供給された裏番組表表示データを信号処理部１４に供給する。
【００４９】
信号処理部１４は、ＯＳＤ処理部１６より制御部１５を介して供給された裏番組表表示データに対応する裏番組表を、デコーダ１３より供給された、いま選局されているチャンネルの映像に重ね合わせた合成映像を生成し、対応する合成映像信号を表示部１８に供給する。
【００５０】
表示部１８は、信号処理部１４より供給された合成映像信号に対応する合成映像を表示する。この例では、図５に示すような裏番組表と映像とが合成された合成映像が表示部１８の画面に表示される。
【００５１】
図５に示すように、裏番組表は、タイトル「裏番組表」と、放送種別である「ＢＳデジタル---テレビ」と、現在の日時（この例では、「１／２０（木）午前１０：０４」）とからなる第１の表示領域と、いま、カーソル１８１によって選択されている番組の詳細な内容（放送局アイコン、局名、チャンネル番号、放送時間（この例では、「午前１０：００〜午前１１：５０」）、番組情報アイコン、番組名、コピー許可情報等）が表示される第２の表示領域と、各番組毎に、放送局アイコン、チャンネル番号、放送局名、番組情報アイコン、番組名等が表示される第３の表示領域とから構成されている。ユーザは、カーソル１８１を所望の番組に移動させることにより、その番組の詳細な情報を得ることができる。ステップＳ７において、図５に示したような裏番組表が表示された後、本処理を終了する。
【００５２】
なお、図４に示した予約番組一覧表の表示レイアウト、および図５に示した裏番組表の表示レイアウトは例であってこれらに限定されるものではない。
【００５３】
また、上記実施の形態の構成及び動作は例であって、本発明の趣旨を逸脱しない範囲で適宜変更することができることは言うまでもない。
【産業上の利用可能性】
【００５４】
本発明の活用例として、例えば、テレビジョン受像機だけでなく、録画機能を有する各種装置において録画予約を行う際にも本発明を適用することができる。
【図面の簡単な説明】
【００５５】
【図１】本発明が適用されるテレビジョン受像機の一実施の形態の構成例を示すブロック図である。
【図２】リモートコントローラの一実施の形態を示す外観図である。
【図３】リモートコントローラの電気的な構成例を示すブロック図である。
【図４】予約番組一覧表の表示例を示す図である。
【図５】裏番組表の表示例を示す図である。
【図６】本実施の形態の処理手順を説明するためのフローチャートである。
【符号の説明】
【００５６】
１０  アンテナ
１２  チューナ
１３  デコーダ
１４  信号処理部
１５，５１  制御部
１６  ＯＳＤ処理部
１７  記憶部
１８  表示部
１９  スピーカ
２０，４０  インタフェース
２１，４１  電源ボタン
２２，４２  選局ボタン
２３，４３  上ボタン
２４，４４  下ボタン
２５，４５  決定ボタン
２６，４６  裏番組表ボタン
２７，４７  音量調節ボタン
２８  受光部
２９  Ｉ／Ｆ
５２  発光制御部
５３  発光部  
１００  テレビジョン受像機
１８１  カーソル
２００  リモートコントローラ
【図１】
2006333039.tif 000003
【図２】
2006333039.tif 000004
【図３】
2006333039.tif 000005
【図４】
2006333039.tif 000006
【図５】
2006333039.tif 000007
【図６】
2006333039.tif 000008